(57)【要約】【課題】電子ビューファインダーを有する際に、接眼検知センサーを備えても小型化することができるようにする。【解決手段】撮像装置は、接眼によって画像を視認する電子ビューファインダーと、画像が表示される表示部を備える表示ユニット２２と、を有している。接眼検知センサー２００は電子ビューファインダーに対して接眼があったか否かを検知し、制御部は接眼検知センサーによる接眼検知結果に応じて電子ビューファインダーおよび表示部を選択的に制御する。そして、接眼検知センサーは表示ユニットに配置されている。【選択図】図２
2020052273.tif 000002
【特許請求の範囲】
【請求項１】
接眼によって画像を視認する電子ビューファインダーと、画像が表示される表示部を備える表示ユニットと、を有する撮像装置であって、
前記電子ビューファインダーに対して接眼があったか否かを検知する接眼検知センサーと、
前記接眼検知センサーによる接眼検知結果に応じて前記電子ビューファインダーおよび前記表示部を選択的に制御する制御手段と、を有し、
前記接眼検知センサーは前記表示ユニットに配置されていることを特徴とする撮像装置。
【請求項２】
前記表示ユニットは、前記撮像装置の背面側に配置されていることを特徴とする請求項１に記載の撮像装置。
【請求項３】
前記表示部を前記撮像装置に対して回動可能に支持するヒンジ機構を有することを特徴とする請求項２に記載の撮像装置。
【請求項４】
前記接眼検知センサーは前記ヒンジ機構の回転軸に沿った位置に配置されていることを特徴とする請求項３に記載の撮像装置。
【請求項５】
前記接眼検知センサーは、前記表示部を前記ヒンジ機構によって回動した際に前記電子ビューファインダーを検知可能な位置から外れた位置に配置されていることを請求項４に記載の撮像装置。
【請求項６】
前記表示ユニットは前記表示部の表示面の反対側に配置されたベゼルを有し、
前記ヒンジ機構の回転軸は前記ベゼルの外側に位置し、且つ前記表示部の厚みの範囲に配置されていることを特徴とする請求項１乃至５のいずれか１項に記載の撮像装置。
【請求項７】
前記接眼検知センサーは前記撮像装置の中心と前記電子ビューファインダーを規定する範囲との間に配置されていることを特徴とする請求項１乃至６のいずれか１項に記載の撮像装置。
【請求項８】
前記接眼検知センサーによる検知方向は前記表示部の表示面に対して交差する方向であることを特徴とする請求項１乃至７のいずれか１項に撮像装置。
【発明の詳細な説明】
【技術分野】
【０００１】
本発明は、デジタルカメラなどの電子ビューファインダーを搭載した撮像装置に関する。
【背景技術】
【０００２】
一般に、デジタルカメラ又はビデオカメラなどの撮像装置において、有機ＥＬパネルなどの表示素子によって表示を行う電子ビューファインダーを搭載したものが知られている。このような撮像装置では、操作性を良好とするため、撮影者の動作に合わせて（例えば接眼に合わせて）、撮像装置の背面に配置された液晶表示パネルおよび電子ビューファインダーのいずれかに表示を切り替えるようにしている。
【０００３】
このため、撮影者の接眼を検知するため、撮像装置には、赤外光を照射して電子ビューファインダーに接近した撮影者などの物体から反射した赤外光を検知する接眼検知用センサーが搭載されることがある。そして、接眼検知センサーによって物体の接近が検知されると、表示の切り替えを行うことによってボタン操作などの煩わしい操作を回避している。
【０００４】
例えば、カメラにポップアップ可能な電子ビューファインダー（ＥＶＦ）を搭載して、ＥＶＦの近傍に接眼検知センサーを配置したものが知られている（特許文献１）。特許文献１においては、ポップアップ機構には、ＥＶＦが収納された状態とポップアップした状態を検知する検知スイッチが備えられ、ＥＶＦの状態によって接眼検知センサーのオンおよびオフを制御する。そして、ＥＶＦが収納された状態にある場合には接眼検知センサーをオフとしている。
【０００５】
さらに、特許文献１においては、接眼検知センサーをカメラ本体に取り付けることによって、ポップアップ動作をするＥＶＦを最小限の大きさとなるようにしている。
【先行技術文献】
【特許文献】
【０００６】
【特許文献１】特開２０１５−２２７９０１号公報
【発明の概要】
【発明が解決しようとする課題】
【０００７】
しかしながら、特許文献１に記載のようにカメラ本体に接眼検知センサーを配置する場合には、接眼検知センサーが配置されるカメラ背面部の大部分は液晶表示パネルが占めることが多い。このため、例えば、段差などによって接眼検知センサーおよび周辺の構成部品を搭載するためのスペースを確保する必要がある。
【０００８】
また、ＥＶＦユニット内に接眼検知センサーを配置すると、ポップアップ可能なＥＶＦユニットが大型化してしまって、ポップアップ機構が制約されてしまうことがある。
【０００９】
よって、本発明の目的は、電子ビューファインダーを有する際に、接眼検知センサーを備えても小型化することのできる撮像装置を提供することにある。
【課題を解決するための手段】
【００１０】
上記の目的を達成するため、本発明による撮像装置は、接眼によって画像を視認する電子ビューファインダーと、画像が表示される表示部を備える表示ユニットと、を有する撮像装置であって、前記電子ビューファインダーに対して接眼があったか否かを検知する接眼検知センサーと、前記接眼検知センサーによる接眼検知結果に応じて前記電子ビューファインダーおよび前記表示部を選択的に制御する制御手段と、を有し、前記接眼検知センサーは前記表示ユニットに配置されていることを特徴とする。
【発明の効果】
【００１１】
本発明によれば、電子ビューファインダーを有する際に、接眼検知センサーを備えても小型化することができる。
【図面の簡単な説明】
【００１２】
【図１】本発明の実施の形態による撮像装置の一例を示す斜視図である。
【図２】図１に示す表示ユニットの構成を分解して示す斜視図である。
【図３】図２に示すヒンジ機構を分解して示す開斜視図である。
【図４】図２に示す表示ユニットの配置を説明するための図である。
【図５】図４に示す接眼検知センサーのカメラにおける配置を説明するための図である。
【発明を実施するための形態】
【００１３】
以下に、本発明による撮像装置の一例について図面を参照して説明する。
【００１４】
図１は、本発明の実施の形態による撮像装置の一例を示す斜視図である。そして、図１（ａ）は正面側から示す斜視図であり、図１（ｂ）は背面側から示す斜視図である。
【００１５】
図示の撮像装置は、例えば、デジタルカメラ（以下単にカメラと呼ぶ）１０であり、正面側（前面側）にはフロントカバーユニット１１が備えられている。そして、フロントカバーユニット１１にはレンズ鏡筒１２が備えられ、レンズ鏡筒１２を介してカメラ１０に備えられた撮像素子（図示せず）に光学像が結像する。
【００１６】
レンズ鏡筒１２の外周部には回転操作可能な操作リング１０１が配置されている。円筒状のレンズ鏡筒１２の外周の全周に亘って中空部が設けられ、当該中空部に操作リング１０１が配置される。そして、操作リング１０１は固定部材１０２とフロントカバー１００とに狭持されてレンズ鏡筒１２に保持される。
【００１７】
撮影者は、操作リング１０１に撮影条件を変更するための任意の機能を割り当てることができる。例えば、撮影者は操作リング１０１を回動させて焦点位置および露出値などの撮影条件を変更することができる。
【００１８】
カメラ１０の天面部には露出値を変更するための露出ダイアル１３が備えられている。さらに、天面部には、カメラ１０の動作および非動作状態を切り替える電源ボタン１４と各種撮影モードを切り替えるモードダイアル１５とが配置されている。
【００１９】
カメラ１０が非動作状態である場合に、撮影者が電源ボタン１４を押下するとカメラ１０は動作状態となる。そして、レンズ鏡筒１２において沈胴式の鏡筒部がカメラ本体から突出するように繰り出されて撮影可能な状態となる。一方、カメラ１０が動作状態である場合に、撮影者が電源ボタン１４を押下すると沈胴式の鏡筒部が繰り込まれてカメラ本体に収納されて非動作状態になる。
【００２０】
カメラ１０が動作状態である場合に、モードダイアル１５を回転させると撮影モードを切り替えることができる。撮影モードには、シャッタ速度および絞り値などの撮影条件を撮影者が設定可能なマニュアル撮影モード、自動で適正な露光量が得られるオート撮影モード、および動画撮影モードなどがある。
【００２１】
さらに、カメラ１０の天面部には、レンズ鏡筒１２の焦点距離を変更するためのズームレバー１６と撮影を実行するためのレリーズボタン１７が配置されている。
【００２２】
カメラ１０の天面部においてその端には、有機ＥＬパネル等の表示素子によって各種表示を行う電子ビューファインダーを有するＥＶＦユニット１８が配置されている。このＥＶＦユニット１８は使用しない場合には、押下によってカメラ１０内に収納することができる。ＥＶＦユニット１８の背面側には電子ビューファインダーの表示面を覗くための接眼部１８ａが備えられている。
【００２３】
カメラ１０の背面側には背面カバーユニット２０が備えられ、背面カバーユニット２０には背面操作部２１および表示ユニット２２が配置されている。背面操作部２１には各種機能が割り当てられる。また、表示ユニット２２は、画像を表示するための液晶表示ディスプレイ（表示部）２３を有し、表示部２３は後述するヒンジ機構３００によってチルト動作が可能である。
【００２４】
カメラ１０が動作状態である場合、表示部２３又はＥＶＦユニット１８には被写体に係るリアルタイム画像が表示される。さらには、表示部２３又はＥＶＦユニット１８にはシャッタースピードおよび絞り値などの各種撮影パラメータなどが表示される。そして、撮影者は背面操作部２１を操作することによって撮影パラメータに係る設定値を変更することができる。
【００２５】
なお、背面操作部２１には、画像データの再生を指示するための再生ボタンが備えられ、再生ボタンの操作によって、撮影によって得られた画像データが表示部２３又はＥＶＦユニット１８に表示される。
【００２６】
表示部２３の上側には、後述する接眼検知センサー２００を覆うセンサー保護板２０１が配置されている。撮影者がＥＶＦユニット１８の表示を視認する際に接眼部１８ａに眼を近づけると、接眼検知センサー２００の出力に応じてＥＶＦユニット１８に眼が近づいたか否かが判定される。
【００２７】
図２は、図１に示す表示ユニットの構成を分解して示す斜視図である。
【００２８】
表示部２３は、保護窓２３ａ、タッチパネル（図示せず）、表示パネル（図示せず）、および板金で成形されたベゼル２３ｂを有している。タッチパネルは、例えば、静電容量式のタッチパネルである。
【００２９】
保護窓２３ａは、表示パネルおよびタッチパネルをキズおよび汚れなどから保護するためのパネルであり、一般に強化ガラスが用いられ、その厚さは０．５〜１．０ｍｍ程度である。なお、保護窓２３ａの材料として、例えば、光の透過率の高いアクリル樹脂又はポリカーボネートなどの透明樹脂を用いるようにしてもよい。なお、保護窓２３ａは、表示パネルよりも大きく表示パネル全体を保護する。
【００３０】
タッチパネルには、前述のように静電容量方式が用いられ、配線は透明電動膜であるＩＴＯ（Ｉｎｄｉｕｍ  Ｔｉｎ  Ｏｘｉｄｅ）によって形成される。一般にガラスで形成されるが、透明であってＩＴＯにおけるアニールなどの温度に耐えることができればプラスチック基板でもあってもよい。透明樹脂として、例えば、アクリル又はポリカーボネート名とが用いられる。
【００３１】
ベゼル２３ｂはステンレスなどの金属板の曲げ加工によって成形されており、表示面の反対側に位置する。
【００３２】
表示部２３は保護窓２３ａの外形に沿って形成されたロ字形状の両面テープ２５１によって外装カバー２５０に接着される。外装カバー２５０は表示部２３の周囲を覆うポリカーボネートなどの樹脂成型品である外観部品であり、その表面には塗装処理又はシボ加工が施される。
【００３３】
ロ字形状の両面テープ２５１は接着強度が高く衝撃に強いことが望ましい。つまり、落下などの衝撃によって、表示部２３の浮き上がって剥がれ、さらには表示部２３が外装カバー２５０の外に飛び出すことによる割れを防止するために両面テープ２５１が用いられる。また、両面テープ２１５によって表示部２３の浮き上がりによる表示パネルに接続されたフレキシブルプリント基板の断線およびコネクタ類の破損などを防止することができる。
【００３４】
表示部基板２０２は表示部２３の電気的制御を行う基板であって、その大部分が表示部２３の背面側に位置するベゼル２３ｂ上に配置される。そして、表示部基板２０２は両面テープ（図示せず）によってベゼル２３ｂに貼り付けて固定される。表示部基板２０２はフレキシブル基板（図示せず）によってカメラ１０内に備えられた別の基板（図示せず）に接続される。
【００３５】
表示部基板２０２には赤外光照射部および赤外光受光部を有する接眼検知センサー２００が半田により固定される。接眼検知センサー２００は赤外光照射部から常時赤外光を照射する。そして、当該赤外光は接眼検知センサー２００に物体が接近すると当該物体で反射した赤外光が赤外光受光部で受光される。これによって、例えば、撮影者が図１（ｂ）に示す接眼部１８ａに接眼した際に撮影者（例えば、顔）を検知する。
【００３６】
接眼検知センサー２００による接眼検知結果を示す接眼検知信号は表示部基板２０２およびフレキシブル基板を介して、上述の別の基板（例えば、制御部）に送られる。そして、制御部は当該接眼検知信号に応じて電子ビューファインダーを制御する。
【００３７】
接眼検知信号が接眼を示していると、制御部はＥＶＦユニット１８において電子ビューファインダーの電源をオンとする。一方、接眼検知信号が接眼を示していないと、制御部は電子ビューファインダーを不使用状態と判定して電子ビューファインダーの電源をオフとする。
【００３８】
電子ビューファインダーの電源のオンおよびオフと表示部２３の電源のオン及びオフとは同期している。つまり、電子ビューファインダーの電源をオンした場合には、制御部は表示部２３の電源をオフとする。一方、電子ビューファインダーの電源をオフした場合には、制御部は表示部２３の電源をオンとなる。
【００３９】
このように、制御部は接眼検知センサー２００による接眼検知結果に応じて電子ビューファインダーおよび表示部２３を選択的に制御する。
【００４０】
接眼検知センサー２００の前面には、接眼検知センサー２００を保護するためのセンサー保護板２０１が設置されている。センサー保護板２０１は外装カバー２５０に備えられた貫通穴に係合しており、接着剤などで外装カバー２５０に固定される。さらに、センサー保護板２０１によって赤外光が反射する結果、接眼と誤検知することを防止するため、センサー保護板２０１は赤外光を透過しやすい材料で成形される。
【００４１】
背面カバー２５２は表示部２３の背面に備えられており、光を遮光するための遮光カバーであって、樹脂材料によって成形されている。そして、背面カバー２５２によって表示部２３から背面方向に漏れる光が遮光される。背面カバー２５２は外装カバー２５０に表示部２３を組み付ける方向と逆の方向から組み付けられて、外装カバー２５０とヒンジ機構３００とに挟まれた状態で固定される。
【００４２】
マグネット２５３は外装カバー２５０の一部に収納されて接着材などで固定される。マグネット２５３は磁場発生するための部材であり、カメラ１０内に配置された磁気センサー（図示せず）によってマグネット２５３の磁束が検出される。そして、磁気センサーによる磁気検知結果に応じて、後述するように、ヒンジ機構３００によって表示ユニット２２が回転操作された際に表示部２３の表示画面が切り替えられる。
【００４３】
磁気センサーには、例えば、巨大磁気抵抗（Ｇｉａｎｔ  Ｍａｇｎｅｔ  Ｒｅｓｉｓｔａｎｃｅ：ＧＭＲ）素子又は半導体ホール素子が用いられる。ＧＭＲ素子は、磁気抵抗効果を利用して主面に平行な磁場を検出する素子である。そして、ＧＭＲ素子として、磁場が強い程電気抵抗が増加する性質を有する合金（例えば、ニッケル、鉄、およびコバルトを主成分とする合金）が用いられる。このＧＭＲ素子を判定回路に組み込んでＧＭＲセンサーが構成される。
【００４４】
図示の例では、ＧＭＲ素子に閾値を設定し、マグネット２５３の位置に応じて変化する磁場をＧＭＲセンサーで検出し、地場検知結果が閾値を超えたか否かに応じて表示部２３の表示画面の上下左右反転を切り替える。
【００４５】
表示ユニット２２は、図１（ｂ）に示す閉状態から１８０°までヒンジ機構３００によって回転可能であり、所定角度以上回転されたことが検知されると、表示部２３の表示画面が通常状態から上下左右反転した状態に切り替えられる。さらに、所定の角度以上の検知角度から１８０°回転させた状態となるまで表示画面は反転を維持した状態で遷移する。当該状態では、撮影光学系の撮影方向と表示画面の方向が同一方向であるので、撮影者が自分自身を撮影する所謂自分撮り撮影に適している。
【００４６】
ヒンジ機構３００はスタンドプレート３１０および３１１を有しており、スタンドプレート３１０および３１１は背面カバーユニット２０にビス２５４ａおよび２５４ｂによって締結固定される。さらに、ヒンジ機構３００はアームプレート３０１を有しており、アームプレート３０１外装カバー２５０に背面カバー２５２の一部を挟んでビス２５５ａおよび２５５ｂにより固定される。
【００４７】
上述のようにして、表示ユニット２２は背面カバー２５２を介してカメラ本体に固定される。
【００４８】
図３は図２に示すヒンジ機構を分解して示す開斜視図である。
【００４９】
ベースプレート３０２おいて、カメラ１０に関して、上側に配置されるヒンジ回転軸を回転軸Ａ（回転軸３０２ａ）、下側に配置されるヒンジ回転軸を回転軸Ｂ（回転軸３０２ｂ）とする。スタンドプレート３１０および３１１において、左右各々の立ち壁には回転軸３０２ｂと同軸上に回転軸孔３１０ａおよび３１１ａが設けられている。
【００５０】
アームプレート３０１において、その立ち壁には回転軸３０２ａと同軸上に回転軸孔３０１ａが設けられている。支持ピン３０３ａおよび３０３ｂはそれぞれスタンドプレート３１０および３１１とクリックプレート３０４ａおよび３０４ｂととともに回転軸３０２ｂに挿通されてカシメ固定される。
【００５１】
これによって、ベースプレート３０２は、スタンドプレート３１０および３１１に対して回転自在に連結される。ベースプレート３０２は、クリックプレート３０４ａおよび３０４ｂから回転摩擦抵抗を受ける結果、任意の回転位置において摩擦保持される。
【００５２】
支持ピン３０５ａおよび３０５ｂは、アームプレート３０１および回転軸３０２ａに挿通されてカシメ固定されてクリックプレート３０６とともに固定される。これによって、アームプレート３０１はベースプレート３０２に対して、回転自在に連結される。アームプレート３０１はクリックプレート３０６から回転摩擦抵抗を受ける結果、任意の回転位置において摩擦保持される。
【００５３】
ベースプレート３０２、アームプレート３０１、およびスタンドプレート３１０および３１１はそれぞれ金属材料をプレス加工によって成形した部品であって、回転動作に関して高強度である。
【００５４】
このようにして、ヒンジ装置３００によって、表示ユニット２２はカメラ１０に対して上下方向に回転可能に取り付けられる。
【００５５】
図４は、図２に示す表示ユニットの配置を説明するための図である。そして、図４（ａ）は表示ユニットを背面側から示す図であり、図４（ｂ）は表示ユニットを上面側から示す図である。
【００５６】
図４には、表示部２３、ヒンジ機構３００、および接眼検知センサー２００の配置が示されている。図４（ａ）に示すように、ヒンジ機構３００の回転軸３０２ａは、前述のように回転軸孔３０１ａの周辺部形状、クリックプレート３０６、支持ピン３０５ａおよび３０５ｂで規定されている。そして、回転軸３０２ａは表示部２３の上部に配置され、且つ表示部２３の保護窓２３ａに対してベゼル２３ｂ側、つまり、表示部２３の表示面に対向する側で、ベゼル２３ｂの両側近傍に規定されている。
【００５７】
回転軸３０２ａを保護窓２３ａの上部（上側）に配置することによって、表示部２３の長手方向である図４（ａ）に示すＸ方向の外側に規定する要素を最小限に抑えることが可能となる。よって、表示ユニット２２のＸ方向のサイズを最小限にすることができる。
【００５８】
また、回転軸３０２ａを表示部２３に備える保護窓２３ａのベゼル２３ｂ側で、且つベゼル２３ｂの両側近傍に配置することによって、図４（ｂ）で示すように、回転軸３２０ａを表示部２３のＺ方向における厚み内に配置することができる。
【００５９】
これによって、表示ユニット２２の厚み方向（Ｚ方向）を最小限にすることが可能となる。
【００６０】
表示ユニット２２において、接眼検知センサー２００は表示部２３の上部に配置されている。前述のように、表示部２３の上部には回転軸３０２ａが配置されており、表示部２３の両端にヒンジ機構３００の回転軸３０２ａを規定する要素が備えられている。このため、表示部２３の上部に位置する接眼検知センサー２００は回転軸３０２ａ上に配置されることになる。
【００６１】
これによって、接眼検知センサー２００はヒンジ機構３００の回転軸３０２ａを規定する要素が位置するスペースに配置されることになるので、接眼検知センサー２００を配置することによって表示ユニット２２が大型化することがない。
【００６２】
さらに、表示ユニット２２内に接眼検知センサー２００が配置されるので、カメラ本体内に接眼検知センサー２００を配置する必要がないことになる。
【００６３】
また、接眼検知センサー２００の検知方向は表示部２３の表示面に対して直交する方向（交差する方向）である。これによって、表示ユニット２２の厚みを必要最小限とすることができる。
【００６４】
図５は、図４に示す接眼検知センサーのカメラにおける配置を説明するための図である。なお、図５はカメラを背面側から示す図である。
【００６５】
図５において、ＥＶＦユニット１８はカメラ１０において幅Ｈで配置されている。表示ユニット２２に備えられたセンサー保護板２０１の内部に配置された接眼検知センサー２００はＥＶＦユニット１８の幅Ｈで規定する範囲よりも外側に配置されている。
【００６６】
前述のように、接眼検知センサー２００が搭載された表示ユニット２２は、ヒンジ機構３００によって回動可能である。接眼検知センサー２００を幅Ｈで規定する範囲の外側に配置しているので、表示ユニット２２を回動させた際に、接眼検知センサー２００がカメラ１０からポップアップしたＥＶＦユニット１８を検知してしまうことはない。
【００６７】
前述のように、接眼検知センサー２００は赤外光によって物体を検知するので、人物のみではなく、カメラ１０を構成する部品を検知することがある。図示のように、接眼検知センサー２００を幅Ｈで規定する範囲の外側に配置することによって（つまり、検知可能な範囲から外れた位置に配置することによって）、誤動作が発生することがない。つまり、撮影者が表示部２３に表示された画像を確認しつつ表示ユニット２２を回動した際、ＥＶＦユニット１８を接眼検知センサー２００がすることがない。その結果、電子ビューファインダーを視認したい場合ではないのに画像の表示が表示部２３から電子ビューファインダーに切り替わってしまう事態を防止することができる。
【００６８】
カメラ１０によって撮影を行う際、撮影者は表示部２３又は電子ビューファインダーによって画像を確認する。電子ビューファインダーで画像を確認する場合には、撮影者は接眼部１８ａに眼を接近させる。この際、撮影者の眼が接眼部１８ａから所定の距離以下となると、接眼検知センサー２００による接眼検知結果によって、画像の表示が表示部２３から電子ビューファインダーに切り替えられる。
【００６９】
このため、接眼検知センサー２００の位置をＥＶＦユニット２２から話してしまうと、接眼部１８ａに撮影者の眼を近づけた時に顔が検知できなくなる。よって、接眼検知センサー２００はＥＶＦユニット１８から離れすぎない方がよい。このため、図示の例では、接眼検知センサー２００の位置をＥＶＦユニット１８を配置する幅Ｈで規定する範囲の外側で、且つＥＶＦユニット１８とカメラ中心部との間に配置する。
【００７０】
上述の実施の形態では、接眼部１８ａをカメラ背面側に向けて固定したが、この構成には限られない。例えば、接眼部１８ａをチルト可動とするようにしてもよい。これによって、カメラ１０を低い位置に構えてローアングル撮影を行う場合においても、電子ビューファインダーを用いる際の操作性が向上する。
【００７１】
レンズ鏡筒１２を撮影者の前方に位置する被写体に向けて表示ユニット２２を可動させて表示部２３の表示面を上方に回動させた状態に位置づけ、且つ接眼部１８ａを上方に回動させた状態に位置づけたとする。そして、撮影者が上方から表示部２３を確認して構図を決定した後、接眼部１８ａを覗く動作をしたとする。
【００７２】
この際には、表示ユニット２２の上方への回動動作に伴って、接眼検知センサー２００の検知方向は表示部２３と同一の上方方向となる。そして、上方に回動した接眼部１８ａを覗いた際に画像表示が表示部２３から電子ビューファインダーに切り替えられる。
【００７３】
このように、本発明の実施の形態では、接眼検知センサー２００を表示ユニット２２に搭載するようにしたので、カメラ本体に接眼検知センサーを搭載するための構成（構造）は不要となる。さらに、表示ユニット２２を回動させる際の回転軸上に接眼検知センサーを配置するようにしたので、表示ユニット２２が大型化することがない。この結果、カメラ自体が大型化することもない。
【００７４】
以上、本発明の好ましい実施形態について説明したが、本発明はこれらの実施形態に限定されず、その要旨の範囲内で種々の変形及び変更が可能である。
【符号の説明】
【００７５】
１０  撮像装置（カメラ）
１８  ＥＶＦユニット
１８ａ  接眼部
２２  表示ユニット
２３  表示部
２３ａ  保護窓
２３ｂ  ベゼル
２００  接眼検知センサー
３００  ヒンジ機構
【図１】
2020052273.tif 000003
【図２】
2020052273.tif 000004
【図３】
2020052273.tif 000005
【図４】
2020052273.tif 000006
【図５】
2020052273.tif 000007